(57)【要約】      （修正有）【課題】意匠的に優れたフレームレス構造のドーム型建築物を間違わずに比較的容易に組み立てることができるドーム型建築物組立用部品セットを提供する。【解決手段】ドーム型建築物組立用部品セットは、骨組みを用いずに複数枚のパネル部材２１のパネル縁部２２同士を重ね合わせて連結してなるフレームレス構造のドーム型建築物を組み立てるための部品セットである。複数枚のパネル部材２１として、第１の多角形パネルＰ６１と、第１の多角形パネルＰ６１と辺の数が等しい一方で少なくとも１つの辺の長さが異なる複数種類の第２の多角形パネルＰ６２、Ｐ６３とを含む。複数種類の第２の多角形パネルＰ６２、Ｐ６３には、その種類ごとに識別子３１が付されている。【選択図】図８
0003228620.tif 000002
【実用新案登録請求の範囲】
【請求項１】
骨組みを用いずに複数枚のパネル部材のパネル縁部同士を重ね合わせて連結してなるフレームレス構造のドーム型建築物を組み立てるための部品セットであって、
複数枚の前記パネル部材として、第１の多角形パネルと、前記第１の多角形パネルと辺の数が等しい一方で少なくとも１つの辺の長さが異なる複数種類の第２の多角形パネルとを含み、
前記パネル部材のうちの少なくとも複数種類の前記第２の多角形パネルには、その種類ごとに識別子が付されている
ことを特徴とするドーム型建築物組立用部品セット。
【請求項２】
前記第１の多角形パネルは、複数枚の正六角形パネルであり、
前記第２の多角形パネルは、前記正六角形パネルと辺の数が等しい一方で少なくとも１つの辺の長さが異なる複数種類かつ複数枚の非正六角形パネルである
ことを特徴とする請求項１に記載のドーム型建築物組立用部品セット。
【請求項３】
前記パネル部材は、透明かつ平坦な樹脂板からなり、前記識別子は、前記パネル縁部に付されていることを特徴とする請求項１または２に記載のドーム型建築物組立用部品セット。
【請求項４】
前記識別子は、前記パネル縁部に付された切欠凹部であることを特徴とする請求項３に記載のドーム型建築物組立用部品セット。
【請求項５】
前記切欠凹部の深さは、前記パネル縁部同士の重ね合わせ部分の幅よりも小さい寸法であることを特徴とする請求項４に記載のドーム型建築物組立用部品セット。
【請求項６】
前記パネル部材は、光透過性を有するパネル本体とＵＶカット層とを含んで構成されていることを特徴とする請求項１乃至５のいずれか１項に記載のドーム型建築物組立用部品セット。
【請求項７】
請求項１乃至６のいずれか１項の部品セットを用いて組み立てられたドーム型建築物。
【考案の詳細な説明】
【技術分野】
【０００１】
本考案は、ドーム型建築物組立用部品セット及びそれを用いたドーム型建築物に関するものである。
【背景技術】
【０００２】
従来、半球状のドーム型建築物として各種のものが知られており、例えば半球状に組んだ骨組みにパネル部材を支持させた構造のドーム型建築物などがよく知られている（例えば、特許文献１を参照）。また最近では、骨組みを用いずにパネル部材のみで構成したフレームレス構造のドーム型建築物も提案されている。そしてこの種のドーム型建築物としては、例えば透明なパネル部材を使用したものがあり、この場合には骨組みを用いたドーム型建築物では得られない優れた意匠性を備えたものとすることができる。
【先行技術文献】
【特許文献】
【０００３】
【特許文献１】特開２０１８−９６１９３号公報
【考案の概要】
【考案が解決しようとする課題】
【０００４】
ところで、フレームレス構造のドーム型建築物を見栄えのよい綺麗な半球状に形成するためには、複数種類かつ多数枚のパネル部材を使用し、これらパネル部材のパネル縁部同士を重ね合わせて締結部材で連結する必要がある。上記のパネル部材としては、例えば四角形パネル、五角形パネル及び六角形パネルなど、辺の数が異なるパネル部材がそれぞれ複数枚ずつ含まれている。これらパネル部材については、相互の形状の差が大きいので、作業者は簡単に判別することができる。
【０００５】
しかしながら、上記のパネル部材のなかには、例えば各辺の長さが等しい正六角形パネルが含まれるばかりでなく、各辺の長さのうちの少なくとも１つの辺の長さが僅かに異なる非正六角形パネルも複数種類含まれている。そしてこのようなパネル部材については、相互の形状の差が殆どないことに加え透明であるので、作業者は判別することが極めて困難である。それゆえ、ドーム型建築物を組み立てる際、所定の形状のパネル部材を選択し、それを適切な位置に取り付けるべきところ、誤ったものを選択して取り付けてしまうことがあった。そして、取り付け間違いに気づかずに組み立て作業を進めてしまうと、ドーム型建築物が綺麗な半球状にならず、いびつな形状になりやすいという問題があった。従って、作業者はパネル部材の取り付け間違いが起きないように細心の注意を払う必要があり、組立作業を容易に行うことができなかった。
【０００６】
本考案は上記の課題に鑑みてなされたものであり、その目的は、意匠的に優れたフレームレス構造のドーム型建築物を間違わずに比較的容易に組み立てることができるドーム型建築物組立用部品セット及びそれを用いたドーム型建築物を提供することにある。
【課題を解決するための手段】
【０００７】
上記課題を解決するために、請求項１に記載の考案は、骨組みを用いずに複数枚のパネル部材のパネル縁部同士を重ね合わせて連結してなるフレームレス構造のドーム型建築物を組み立てるための部品セットであって、複数枚の前記パネル部材として、第１の多角形パネルと、前記第１の多角形パネルと辺の数が等しい一方で少なくとも１つの辺の長さが異なる複数種類の第２の多角形パネルとを含み、前記パネル部材のうちの少なくとも複数種類の前記第２の多角形パネルには、その種類ごとに識別子が付されていることを特徴とするドーム型建築物組立用部品セットをその要旨とする。
【０００８】
従って、請求項１に記載の考案によると、作業者は種類ごとに付された識別子に基づいて、第１の多角形パネルと第２の多角形パネルとの判別や、第２の多角形パネルの種類の判別を比較的簡単に行うことができる。よって、パネル部材相互の形状の差が殆どなくても、パネル部材を正しく選択しそれを適切な位置に取り付けることが可能となり、取り付け間違いが起こりにくくなる。その結果、意匠的に優れたフレームレス構造のドーム型建築物を間違わずに比較的容易に組み立てることが可能となる。
【０００９】
請求項２に記載の考案は、請求項１において、前記第１の多角形パネルは、複数枚の正六角形パネルであり、前記第２の多角形パネルは、前記正六角形パネルと辺の数が等しい一方で少なくとも１つの辺の長さが異なる複数種類かつ複数枚の非正六角形パネルであることをその要旨とする。
【００１０】
請求項３に記載の考案は、請求項１または２において、前記パネル部材は、透明かつ平坦な樹脂板からなり、前記識別子は、前記パネル縁部に付されていることをその要旨とする。
【００１１】
請求項４に記載の考案は、請求項３において、前記識別子は、前記パネル縁部に付された切欠凹部であることをその要旨とする。
【００１２】
請求項５に記載の考案は、請求項４において、前記切欠凹部の深さは、前記パネル縁部同士の重ね合わせ部分の幅よりも小さい寸法であることをその要旨とする。
【００１３】
請求項６に記載の考案は、請求項１乃至５のいずれか１項において、前記パネル部材は、光透過性を有するパネル本体とＵＶカット層とを含んで構成されていることをその要旨とする。
【００１４】
請求項７に記載の考案は、請求項１乃至６のいずれか１項の部品セットを用いて組み立てられたドーム型建築物をその要旨とする。
【考案の効果】
【００１５】
以上詳述したように、請求項１〜７に記載の考案によると、意匠的に優れたフレームレス構造のドーム型建築物を間違わずに比較的容易に組み立てることができるドーム型建築物組立用部品セット及びそれを用いたドーム型建築物を提供することができる。
【図面の簡単な説明】
【００１６】
【図１】本考案を具体化した実施形態のドーム型建築物の斜視図。
【図２】実施形態のドーム型建築物において隣接するパネル部材同士の連結を説明するための部分拡大断面図。
【図３】実施形態のドーム型建築物において隣接するパネル部材同士の連結を説明するための部分拡大正面図。
【図４】実施形態のドーム型建築物の組み立てに用いる部品セットを説明するための概略図。
【図５】（ａ）〜（ｃ）は部品セットに含まれる六角形パネルを示す正面図。
【図６】部品セットに含まれる五角形パネルを示す正面図。
【図７】部品セットに含まれる四角形パネルを示す正面図。
【図８】ドーム型建築物を組み立てる際の様子を説明するための概略図。
【図９】（ａ）は上記実施形態のパネル部材における識別子を示す要部拡大正面図、（ｂ）〜（ｅ）は別の実施形態のパネル部材における識別子を示す要部拡大正面図。
【考案を実施するための形態】
【００１７】
以下、本考案を具体化した一実施形態のドーム型建築物組立用部品セット及びそれを用いたドーム型建築物を図１〜図８に基づき詳細に説明する。
【００１８】
図１に示されるように、本実施形態のドーム型建築物１１は、半球状を呈した透明な構造物であって、台座１２の上面（設置面）の上に設置されている。このドーム型建築物１１は、側部における一箇所に正面視で縦長矩形状の出入口１３を備えており、その出入口１３には透明なドアまたはシャッタ（図示略）が取り付け可能となっている。
【００１９】
このドーム型建築物１１は、骨組みを持たないフレームレス構造であって、主として多数枚のパネル部材２１を用いることにより構成されている。本実施形態のドーム型建築物１１では、様々な多角形状のパネル部材２１が使用されている。具体的にいうと、例えば四角形パネル２１Ａ、五角形パネル２１Ｂ及び六角形パネル２１Ｃなど、辺の数が異なるパネル部材２１がそれぞれ複数枚ずつ用いられている。六角形パネル２１Ｃは、これらパネルの中で枚数が最も多く、ドーム型建築物１１の全域にわたり配置されている。五角形パネル２１Ｂは六角形パネル２１Ｃよりも枚数が少なく、互いに離間した位置に配置されている。四角形パネル２１Ａは台形状をなしており、六角形パネル２１Ｃよりも枚数が少ない。このような四角形パネル２１Ａは、主としてドーム型建築物１１における最下部にて台座１２に接するように配置されている。
【００２０】
本実施形態の各パネル部材２１は多層構造を有しており、具体的には光透過性を有するパネル本体２６と、ＵＶカット層２５とによって構成されている（図２参照）。各パネル部材２１の主体をなすパネル本体２６は、透明な合成樹脂材料からなる樹脂板を用いて形成されており、本実施形態ではＰＣ（ポリカーボネート）製の樹脂板が用いられている。ＰＣを用いる利点としては、軽くて強度が高く、傷がつきにくいため、長期にわたり透明性を維持することができることである。透明かつ高強度の合成樹脂材料であれば、ＰＣ以外のものからなる樹脂板を選択することも勿論許容される。この樹脂板は、完全に無色で透明なものであってもよいほか、若干色が着けられた半透明なものであってもよい。また、各パネル部材２１を構成するＵＶカット層２５は、可視光線を透過させる一方で紫外線を透過しない透明な層であって、パネル本体２６の片面全体を被覆するように形成されている。なお、パネル部材２１を構成する本実施形態の樹脂板は、湾曲のない平板である。このような平板は、湾曲している板材と比較してパーツとして取り扱いやすく、また安価に形成できてコスト的に有利なものとなっている。また、パネル部材２１の厚さは特に限定されないが、強度や軽量性を考慮して例えば２ｍｍ〜１０ｍｍ程度に設定される。
【００２１】
図２、図３に示されるように、四角形、五角形または六角形をしたこれらパネル部材２１は、パネル縁部２２同士を重ね合わせるようにして配置されるとともに、パネル縁部２２同士の重ね合わせ部分２９が、ボルトとナットとからなる締結部材２８を用いて複数箇所で連結固定されている。この場合、例えば上下に隣接して配置したパネル部材２１のうち、上側のもののパネル縁部２２が建築物の外側になり、かつ下側のもののパネル縁部２２が建築物の内側になるようにして配置する。なお、図３においては、「上」という文字を丸で囲んだ記号と、「下」という文字を丸で囲んだ記号とが描かれている。そして重ね合わせ部分２９において、「上」という文字を丸で囲んだ記号がある側が、建築物の外側に配置されるパネル縁部２２であることを意味している。また、「下」という文字を丸で囲んだ記号がある側が、建築物の内側に配置されるパネル縁部２２であることを意味している。このような構造を採用した結果、雨滴の建築物内部への侵入を阻む防水構造が実現されている（図２における実線矢印Ａ１を参照）。ただし、空気については建築物内外を自由に流通することができるため、室内の換気を図ることができる（図２における破線矢印Ａ２を参照）。
【００２２】
図４には、本実施形態のドーム型建築物１１の組み立てに用いる部品セットＳ１が概略的に示されている。本実施形態の部品セットＳ１は、パネル部材２１として、複数枚の六角形パネル２１Ｃと、六角形パネル２１Ｃよりも枚数の少ない五角形パネル２１Ｂと、六角形パネル２１Ｃよりも枚数の少ない四角形パネル２１Ａとを含んで構成されている。その他、部品セットＳ１には、上記の締結部材２８が含まれるほか、最下部のパネルを台座１２に取り付ける固定金具、出入口１３を構成するパーツ、パーツ取付手順説明書など（いずれも図示略）が含まれている。
【００２３】
図４、図５に示されるように、六角形パネル２１Ｃは、より具体的にいうと、複数枚の正六角形パネルＰ６１と、正六角形パネルと辺の数が等しい一方で少なくとも１つの辺の長さが異なる２種類かつ複数枚の非正六角形パネルＰ６２、Ｐ６３とを含んでいる。第１の多角形パネルとしての正六角形パネルＰ６１は、辺の数が６つでかつ各辺の長さが等しい。この正六角形パネルＰ６１における各辺の長さは特に限定されず、例えば２００ｍｍ〜５００ｍｍ程度に設定されるが、本実施形態では一律に３３０ｍｍとなっている。
【００２４】
第２の多角形パネルとしての非正六角形パネルＰ６２、Ｐ６３は、正六角形パネルＰ６１と同様に６つの辺を有している。その一方で、これらの非正六角形パネルＰ６２、Ｐ６３は、６つの辺の長さが等しくなっておらず、少なくとも１つの辺の長さが他のものと若干異なっている。例えば、正六角形パネルＰ６１における各辺の長さを一律に３３０ｍｍとした本実施形態の場合、非正六角形パネルＰ６２における１つの辺は３３０ｍｍよりも数ｍｍ〜数十ｍｍ長く、それとは別の１つの辺は３３０ｍｍよりも数ｍｍ〜数十ｍｍ短く、残りの４つの辺は３３０ｍｍとなっている。また、非正六角形パネルＰ６３における１つの辺は３３０ｍｍよりも数ｍｍ〜数十ｍｍ長く、それとは別の２辺が３３０ｍｍよりも数ｍｍ〜数十ｍｍ短く、残りの３つの辺が３３０ｍｍとなっている。
【００２５】
図６に示されるように、この五角形パネル２１Ｂは、辺の数が５つでかつ各辺の長さが等しく、例えば本実施形態では一律に３３０ｍｍとなっている。ここでは図示しないが、部品セットＳ１中には非正五角形パネルが含まれていてもよい。図７に示されるように、台形状をなす四角形パネル２１Ａは、４つの辺を有しており、下辺以外の３つの辺の長さが本実施形態では約３３０ｍｍとなっている。
【００２６】
そして、四角形パネル２１Ａ、五角形パネル２１Ｂ及び六角形パネル２１Ｃにおいて、各辺におけるパネル縁部２２の近傍には、締結部材２８を挿通させるための複数のボルト孔２７が設けられている。なお、四角形パネル２１Ａ、五角形パネル２１Ｂ及び六角形パネル２１Ｃの各々の角部については、取扱性の向上のために丸く面取り加工が施されていることが好ましい。
【００２７】
図５に示されるように、正六角形パネルＰ６１及び非正六角形パネルＰ６２、Ｐ６３は、相互の形状の差が殆どないことに加え透明であるので、これらの判別の便宜を図るための識別子として、パネル縁部２２に切欠凹部３１が形成されている。より具体的にいうと、本実施形態における一方の非正六角形パネルＰ６２では、１つの辺におけるパネル縁部２２の一箇所に、半円状の切欠凹部３１が形成されている（図５（ｂ）参照）。また、他方の非正六角形パネルＰ６３では、１つの辺におけるパネル縁部２２の二箇所に、半円状の切欠凹部３１が形成されている（図５（ｃ）参照）。ここで、図９（ａ）に示されるように、本実施形態においてパネル縁部２２同士の重ね合わせ部分２９の幅Ｗ１は、１０ｍｍ〜３０ｍｍ程度に設定されている。一方、切欠凹部３１の深さＤ１は、当該重ね合わせ部分２９の幅Ｗ１よりもいくぶん小さい寸法（１ｍｍ〜数ｍｍ程度）となるように設定されている。なお、ここでは非正六角形パネルＰ６２、Ｐ６３のみに識別子を付したが、正六角形パネルＰ６１にも識別子を付しても勿論構わない。
【００２８】
従って、本実施形態によれば以下の効果を得ることができる。
【００２９】
（１）本実施形態の部品セットＳ１を用いてドーム型建築物１１を組み立てる際には、ドーム型建築物１１を構成する最下列（１列目）のパネル部材２１を台座１２に固定し、次に２列目、３列目、というように順に上側に向かってパネル部材２１を連結していく。作業者はパーツ取付手順説明書に従い、所定の形状のパネル部材２１を選択する必要があるが、種類ごとに付された識別子に基づいて、パネル部材２１同士の判別を比較的簡単に行うことができる。より具体的にいうと、識別子である切欠凹部３１の有無や個数を、視覚あるいは触覚を通じて認識することができ、それに基づいて正六角形パネルＰ６１と第２の非正六角形パネルＰ６２、Ｐ６３との判別や、非正六角形パネルＰ６２、Ｐ６３間の判別を比較的簡単に行うことができる。よって、相互の形状の差が殆どなくても、パネル部材２１を正しく選択しそれを適切な位置に取り付けることが可能となり、取り付け間違いが起こりにくくなる（図８参照）。その結果、意匠的に優れたフレームレス構造のドーム型建築物１１を間違わずに比較的容易に組み立てることが可能となる。なお、完成したドーム型建築物１１を分解して別の場所に移設するような場合であっても、本実施形態によれば間違わずに比較的容易に再度組み立てることができるというメリットがある。
【００３０】
（２）本実施形態の部品セットＳ１を用いた場合、複数枚の正六角形パネルＰ６１と、複数種類かつ複数枚の非正六角形パネルＰ６２、Ｐ６３とを適切な位置に正しく取り付けることが可能となる。それゆえ、ジオデシック構造であって見栄えのよい綺麗なドーム型建築物１１を確実に組み立てることができる。
【００３１】
（３）本実施形態の部品セットＳ１によると、識別子がパネル縁部２２に付された切欠凹部３１であることに加え、その切欠凹部３１の深さＤ１がパネル縁部２２同士の重ね合わせ部分２９の幅Ｗ１よりも小さくなっている。このため、パネル部材２１同士を連結したときには、切欠凹部３１が重ね合わせ部分２９の領域内に位置した状態となり目立ちにくい。よって、ドーム型建築物１１の意匠性に与える影響を小さくすることができる。また、切欠凹部３１であれば、パネル部材２１に着色等する必要もないので、その点においても意匠性に与える影響が小さい。
【００３２】
なお、以上示した実施形態はあくまで一例であり、本考案はその趣旨を逸脱しない範囲内において任意に変更して具体化されることが許容される。
【００３３】
・上記実施形態では、図９（ａ）に示されるように識別子として半円状の切欠凹部３１を形成したが、これに限定されない。例えば、図９（ｂ）に示す別の実施形態のように、長方形状のような半円状以外の切欠凹部３２を形成してもよい。また、識別子は切り欠くことで形成されたものに限らず、図９（ｃ）に示す別の実施形態のように、印刷や刻印などによりパネル部材２１の表面に描かれたマーク３３であってもよい。また、図９（ｄ）に示す別の実施形態のように、複数のボルト孔２７とは異なる穴部３４を形成し、これを識別子としてもよい。この穴部３４は貫通穴であっても非貫通穴であってもよい。あるいは穴部３４の代わりに、パネル厚さ方向に突出する微小な突起を形成し、これを識別子としてもよい。また、図９（ｅ）に示す別の実施形態のように、パネル縁部２２から外方に突出する凸部３５を形成し、これを識別子としてもよい。なお、あまり目立たないものであれば、パネル縁部２２以外の箇所に識別子を付すことも一応許容される。
・上記実施形態では、パネル部材２１の辺の部分に識別子を付したが、角の部分に付しても勿論よい。
・上記実施形態では、六角形パネル２１Ｃについて識別子を付したが、これに限定されない。例えば、四角形パネル２１Ａについて複数種類ある場合や、五角形パネル２１Ｂについて複数種類ある場合には、それらについても識別子を付すようにしても勿論よい。
・本実施形態のパネル部材２１は、パネル本体２６とＵＶカット層２５とを含んで構成されていたが、ＵＶカット層２５は必須ではないため省略されてもよい。
・本実施形態のパネル部材２１は、互いに締結部材２８を用いて連結されていたが、締結部材２８を用いずに連結（例えば接着剤を用いて接着）されていても勿論よい。
【符号の説明】
【００３４】
１１…ドーム型建築物
２１…パネル部材
２１Ａ…パネル部材としての四角形パネル
２１Ｂ…パネル部材としての五角形パネル
２１Ｃ…パネル部材としての六角形パネル
２２…パネル縁部
２５…ＵＶカット層
２６…パネル本体
２９…重ね合わせ部分
３１、３２…識別子としての切欠凹部
３３…識別子としてのマーク
３４…識別子としての穴部
３５…識別子としての凸部
Ｄ１…（切欠凹部の）深さ
Ｐ６１…第１の多角形パネルとしての正六角形パネル
Ｐ６２、Ｐ６３…第２の多角形パネルとしての非正六角形パネル
Ｓ１…部品セット
Ｗ１…（重ね合わせ部分の）幅
【図１】
0003228620.tif 000003
【図２】
0003228620.tif 000004
【図３】
0003228620.tif 000005
【図４】
0003228620.tif 000006
【図５】
0003228620.tif 000007
【図６】
0003228620.tif 000008
【図７】
0003228620.tif 000009
【図８】
0003228620.tif 000010
【図９】
0003228620.tif 000011
【手続補正書】
【提出日】令和2年7月29日(2020.7.29)
【手続補正１】
【補正対象書類名】実用新案登録請求の範囲
【補正対象項目名】請求項７
【補正方法】変更
【補正の内容】
【請求項７】
骨組みを用いずに複数枚のパネル部材を用いて組み立てられたフレームレス構造のドーム型建築物であって、
複数枚の前記パネル部材は、第１の多角形パネルと、前記第１の多角形パネルと辺の数が等しい一方で少なくとも１つの辺の長さが異なる複数種類の第２の多角形パネルとを含み、前記パネル部材のうちの少なくとも複数種類の前記第２の多角形パネルに、その種類ごとに識別子が付され、所定の適切な位置に配置された前記パネル部材のパネル縁部同士が重ね合わせて連結されている
ことを特徴とするドーム型建築物。
【手続補正２】
【補正対象書類名】明細書
【補正対象項目名】００１４
【補正方法】変更
【補正の内容】
【００１４】
請求項７に記載の考案は、骨組みを用いずに複数枚のパネル部材を用いて組み立てられたフレームレス構造のドーム型建築物であって、複数枚の前記パネル部材は、第１の多角形パネルと、前記第１の多角形パネルと辺の数が等しい一方で少なくとも１つの辺の長さが異なる複数種類の第２の多角形パネルとを含み、前記パネル部材のうちの少なくとも複数種類の前記第２の多角形パネルに、その種類ごとに識別子が付され、所定の適切な位置に配置された前記パネル部材のパネル縁部同士が重ね合わせて連結されていることを特徴とするドーム型建築物をその要旨とする。